(57)【要約】【課題】煙火を点火するときに酸化されにくい点火具を用いて有効に点火することのできる鳥獣撃退装置及びそれに用いる煙火を提供する。【解決手段】鳥獣撃退装置において、煙火３は、長手方向の一端側に導火線３２を備える。セラミックを発熱させることで点火可能であるセラミックヒータ１０は、収容部４に煙火３が収容されている場合、導火線３２がセラミックヒータ１０に当接されることで点火される。【選択図】図５
2016214180.tif 000002
【特許請求の範囲】
【請求項１】
動物駆逐用の円筒状の煙火を収容可能な鳥獣撃退装置であって、
前記煙火を収容するための収容部と、
該収容部に収容された前記煙火を点火可能なヒータとを備え、
前記煙火は、長手方向の一端側に導火線を備え、
前記ヒータは、セラミックを発熱させることで点火可能であるセラミックヒータであり、
前記収容部に前記煙火が収容されている場合、前記導火線が前記セラミックヒータに当接されることで点火される鳥獣撃退装置。
【請求項２】
前記収容部に収容された前記煙火と前記セラミックヒータとを相対移動させることが可能であり、前記煙火を複数収容した場合、収容された前記煙火と前記セラミックヒータとが相対移動されることで、前記各煙火の前記導火線が前記セラミックヒータに当接されて点火される請求項１に記載の鳥獣撃退装置。
【請求項３】
前記収容部は前記煙火を複数収容する場合、その収容部に各煙火を並べて収容し、該収容部に配置された前記煙火は、前記導火線が前記煙火の外周側に向けて曲げられた状態で収容されており、その導火線が前記セラミックヒータに当接されることで点火される請求項１又は請求項２に記載の鳥獣撃退装置。
【請求項４】
前記収容部は円筒状に形成されており、前記煙火を複数収容する場合、その収容部の円周に沿って並べて収容可能である請求項１乃至請求項３のいずれか一項に記載の鳥獣撃退装置。
【請求項５】
前記収容部に配置された前記煙火は、前記導火線が前記収容部の円周の外側に向けられて曲げられた状態で収容されており、その導火線が前記セラミックヒータに当接されることで点火される請求項４に記載の鳥獣撃退装置。
【請求項６】
前記煙火は、前記長手方向の一端側に、開口を有するキャップが取り付けられ、前記煙火に取り付けられたとき前記開口から前記導火線を挿通させながら、該導火線が前記煙火の外周側に向けて曲げられた状態で保持される請求項１乃至請求項５のいずれか一項に記載の鳥獣撃退装置。
【請求項７】
前記収容部は、前記煙火の前記導火線を挟んで保持するための切込み部を備え、
前記煙火の前記導火線が前記切込み部に差し込まれることで前記煙火の外周側に向けて曲げられた状態で保持される請求項１乃至請求項６のいずれか一項に記載の鳥獣撃退装置。
【請求項８】
前記導火線を挟むための挟持部を備え、
前記煙火は、前記挟持部により前記導火線が挟まれた状態で、前記導火線を前記セラミックヒータに当接させることで点火される請求項１乃至請求項７のいずれか一項に記載の鳥獣撃退装置。
【請求項９】
動物駆逐用の筒状の煙火であって、
該煙火の長手方向の一端側に導火線を備え、
該一端側にキャップが取り付けられ、
該キャップは、開口を有しており、
該開口に前記導火線を挿通させて、前記導火線が前記煙火の外周側に向けて曲げられる煙火。
【発明の詳細な説明】
【技術分野】
【０００１】
本発明は、鳥獣撃退装置及びそれに用いる煙火に関する。
【背景技術】
【０００２】
従来、鳥獣などの駆逐に用いられる煙火として、導火線を有した円筒状であり、人が手で持って使用可能な動物の駆逐用の煙火があった。この煙火は、一般的な玩具煙火とは異なり、大きな音を発生させるため、威力の強い火薬が用いられている。したがって、人が手で持つ場合でも安全性を考慮して専用の煙火を収容するためのホルダーを使用することがあるが、人が手で持たず、人から離れた位置に固定して煙火を点火させて使用可能にすることが望ましい。
【０００３】
特許文献１の鳥獣撃退装置は、特殊な形状の専用の煙火を収容するための収容部を備える。また煙火は、長手方向の一端側に導火線を備え、収容部に煙火が収容されている場合、導火線が点火されると砲身から発射される。また導火線を点火するための点火具は、熱式や炎式のライター等が用いられていた。そうすることで、人が煙火を直接手で持たず、鳥獣が出没する場所に煙火を発射することにより威嚇することができた。
【先行技術文献】
【特許文献】
【０００４】
【特許文献１】特開２０１２−１３３６７号公報
【発明の概要】
【発明が解決しようとする課題】
【０００５】
上記特許文献１の鳥獣撃退装置は、特殊な形状の専用の煙火を砲身から発射させるものである。しかし火薬を使用して砲身から発射させるためにこのような煙火を使用するとき、行政の認可が必要となる場合があり、既存ではない煙火等を新たに認可してもらうことは容易ではなかった。そのため、既存の煙火を使用する場合、できるだけ手を加えないで使用することが望ましい。さらに使用されている煙火の導火線を点火具に当接させて何度か使用するとき、熱式の点火具では導火線の当接により点火部位が酸化して点火しにくくなる恐れがあった。また炎式の点火具では点火による安全性に問題となる恐れがあった。
【０００６】
本発明は、上記の問題点を鑑みて創案されたものであり、本発明が解決しようとする課題は、動物駆逐用の煙火を用い、煙火を点火するときに酸化されにくい点火具を用いて有効に点火することのできる鳥獣撃退装置及びそれに用いる煙火を提供することにある。
【課題を解決するための手段】
【０００７】
本発明の鳥獣撃退装置は、動物駆逐用の円筒状の煙火を収容可能である。また鳥獣撃退装置は、煙火を収容するための収容部と、この収容部に収容された煙火を点火可能なヒータとを備える。煙火は、長手方向の一端側に導火線を備える。ヒータは、セラミックを発熱させることで点火可能であるセラミックヒータであり、収容部に煙火が収容されている場合、導火線がセラミックヒータに当接されることで点火される。
【０００８】
この場合、動物駆逐用の煙火を用い、導火線がセラミックヒータに当接されることで点火されるので、点火部位が比較的酸化しにくく、有効に点火を行うことができる。
【０００９】
またこの鳥獣撃退装置では、収容部は収容された煙火をセラミックヒータに対して相対移動させることが可能であり、煙火を複数収容した場合、収容された煙火がセラミックヒータに対して相対移動されることで、各煙火の導火線がセラミックヒータに当接されて点火されることが好ましい。
【００１０】
この場合、収容された煙火がセラミックヒータに対して相対移動されるため、煙火を順次効率的に点火して使用できる。
【００１１】
またこの鳥獣撃退装置では、収容部は煙火を複数収容する場合、その収容部に各煙火を並べて収容することが好ましい。またこのとき、この収容部に配置された煙火は、導火線が煙火の外周側に向けて曲げられた状態で収容されており、その導火線がセラミックヒータに当接されることで点火される。
【００１２】
この場合、収容部に配置された煙火は、導火線が煙火の外周側に向けて曲げられた状態で収容されているので、導火線がセラミックヒータに当接されることで効率よく点火できる。
【００１３】
またこの鳥獣撃退装置では、収容部は円筒状に形成されており、煙火を複数収容する場合、その収容部の円周に沿って並べて収容可能であることが好ましい。
【００１４】
この場合、円筒状の収容部の円周に沿って煙火が並べられて点火できるので、さらに導火線がセラミックヒータに順序立てて当接されることでより効率よく点火できる。
【００１５】
またこの鳥獣撃退装置では、収容部に配置された煙火は、導火線が収容部の円周の外側に向けられて曲げられた状態で収容されており、その導火線がセラミックヒータに当接されることで点火される。
【００１６】
この場合、導火線が収容部の円周の外側に向けられて曲げられた状態で収容されているので、導火線をセラミックヒータに当接しやすくなり点火もしやすくなる。
【００１７】
またこの鳥獣撃退装置では、煙火は、長手方向の一端側に、開口を有するキャップが取り付けられ、煙火に取り付けられたとき開口から導火線を挿通させながら、この導火線が煙火の外周側に向けて曲げられた状態で保持される。
【００１８】
この場合、キャップの開口から導火線を挿通させた状態で、導火線が点火可能であるので、キャップにより雨等により水に濡れるのを抑制しながら、導火線に点火できる。
【００１９】
またこの鳥獣撃退装置では、収容部は、煙火の導火線を挟んで保持するための切込み部を備え、煙火の導火線が切込み部に差し込まれることで保持される。
【００２０】
この場合、煙火の導火線を挟んで保持するための切込み部により差し込まれること保持されるので、導火線をセラミックヒータにさらに当接しやすくなり点火もしやすくなる。
【００２１】
またこの鳥獣撃退装置では、導火線を挟むための挟持部を備え、煙火は、挟持部により導火線が挟まれた状態で、導火線をセラミックヒータに当接させることで点火される。
【００２２】
この場合、挟持部により導火線が挟まれた状態で、導火線をセラミックヒータに当接させることで点火されるので、点火位置が保持しやすくなり、より点火しやすくなる。
【００２３】
また動物駆逐用の筒状の煙火は、この煙火の長手方向の一端側に導火線を備える。またこの煙火は、この一端側にキャップが取り付けられ、このキャップは、開口を有しており、この開口に導火線を挿通させて、導火線が煙火の外周側に向けて曲げられる。
【００２４】
この場合、煙火は、この一端側にキャップが取り付けられ、このキャップは、開口を有しており、この開口に導火線を挿通させて、導火線が煙火の外周側に向けて曲げられるので、既存の動物駆逐用の煙火を効率的に使用できる。また、キャップにより雨等で水に濡れるのを抑制できる。
【発明の効果】
【００２５】
本発明によれば、既存の動物駆逐用の煙火を点火するときに酸化されにくい点火具を用いて有効に点火することのできる鳥獣撃退装置及びそれに用いる煙火を提供できる。
【図面の簡単な説明】
【００２６】
【図１】第１の実施形態に係る鳥獣撃退装置の正面図である。
【図２】図１に示される鳥獣撃退装置の側面図である。
【図３】図１に示される鳥獣撃退装置の背面図である。
【図４】図３に示される鳥獣撃退装置を部分的に拡大して示した背面図である。
【図５】図１に示される鳥獣撃退装置を部分的に拡大して示した正面図である。
【図６】図２に示される鳥獣撃退装置を部分的に拡大して示した側面図である。
【図７】図２に示される収容体の部分側面図である。
【図８】図２に示される収容体の部分上面図である。
【図９】変形例１に係る収容体の側面図である。
【図１０】図９に示される収容体の上面図である。
【図１１】図９に示される収容体のＡ−Ａ線断面図である。
【図１２】図９に示される収容体のＢ−Ｂ線断面図である。
【図１３】図９に示される収容体のＣ−Ｃ線断面図である。
【図１４】変形例２に係る鳥獣撃退装置の挟み部を部分的に拡大して示した模式図である。
【図１５】変形例３に係る鳥獣撃退装置の挟み部を部分的に拡大して示した模式図である。
【図１６】変形例４に係るキャップの斜視図である。
【図１７】変形例５に係る鳥獣撃退装置のセラミックヒータを部分的に拡大して示した斜視図である。
【図１８】変形例６に係るカバー部材の正面図である。
【図１９】図１８に示されるカバー部材を部分的に拡大して示した斜視図である。
【発明を実施するための形態】
【００２７】
第一の実施形態について説明する。本実施形態の鳥獣撃退装置１は、動物駆逐用の円筒状の煙火３を収容可能であり、収容した煙火３に点火することができ、主に鳥獣などの駆逐用に用いられるものである。煙火３は、動物駆逐用の煙火であり、鳥獣などの駆逐に用いられ、大きな音を発生させて鳥獣などを威嚇するものである。また煙火３は、円筒状に形成されており、長手方向の一端側にひも状の導火線３２を備える。
【００２８】
図１に示される鳥獣撃退装置１は、赤外線により鳥獣を検知するための赤外線センサ２と、煙火３を収容するための収容部４と、この収容部４を取り付けるための本体枠１３とを備える。また鳥獣撃退装置１は、収容部４に収容された煙火３を点火可能なセラミックヒータ１０と、収容部４を保持するための脚部６とを備える。
【００２９】
図１及び図２に示される赤外線センサ２は、円柱状の本体部分を有しており、温度変化を検知して鳥獣の動き等をとらえるものである。赤外線センサ２は、鳥獣撃退装置１の最上端に配置されており、その下方側が本体枠１３に連結されている。なお赤外線センサ２と、本体枠１３との間に後述する図１８に示されるカバー部材９０を受けるためのカッパ受け部２４が配置されている。カッパ受け部２４は、輪状に形成された部位であり、その部位にかけられてカッパ（カバー部材９０）の形状を保つことができる。
【００３０】
本体枠１３は、図１に示すように正面視で輪郭が矩形状に形成された枠である。本体枠１３は、収容部４が取り付けられて、その収容部４を上下方向に回動可能にする部位である。本体枠１３は、上面部１３ｂと、側面部１３ａと、底面部１３ｃとを備える。
【００３１】
上面部１３ｂは、図１に示すように本体枠１３の上部を形成する部位である。上面部１３ｂは、薄板状に左右方向に延びて形成されている。上面部１３ｂの上面側は、赤外線センサ２と接続されている。上面部１３ｂの両端は、側面部１３ａに連結されている。
【００３２】
側面部１３ａ、１３ａは、図１に示すように本体枠１３の側部を形成する部位である。側面部１３ａ、１３ａは、薄板状（帯板状）に上下方向に延びて形成されている。側面部１３ａ、１３ａは、上下方向の略中央に後述する収容部４がビス４ａによって取り付けられ、その部位を軸に収容部４の発射面側（前面側）が上下方向に回動可能になっている。側面部１３ａ、１３ａの下端は、底面部１３ｃと連結されている。
【００３３】
底面部１３ｃは、図１に示すように本体枠１３の底部を形成する部位である。底面部１３ｃは、薄板状に左右方向に延びて形成されている。底面部１３ｃの下面の略中央部分は、旋回部２８に接続されている。旋回部２８は、収容部４が取り付けられた本体枠１３を回動させるものである。旋回部２８は、鳥獣を狙うための発射方向を変更するため左右方向に回動可能であり、回動することで発射方向を変更することができる。
【００３４】
収容部４は、図１及び図２に示すように円筒状に形成された部位である。収容部４は、収容体４０と、リング部１８と、固定部材１６と、駆動部４２とを備える。また収容部４の外側は、図４に示すように収容部４の位置を検知するためのセンサ８が配置されている。センサ８は、本体枠１３の側面部１３ａ、１３ａの一方に略Ｌ字状のブラケット１５を介して固定されており、後述する収容体４０と本体枠１３との間に配置されている。またその一方で、側面部１３ａ、１３ａの他方には、図４に示すように引っ張りばね８ａが取り付けられており、その上端に薄板で帯状に形成された板ばね８０の一端側が取り付けられた状態で配置されている。板ばね８０の長手方向の略中央は、円弧状の突起部８０ａが下方に向けて形成されて配置されており、その突起部８０ａが収容体４０の上方で当接されて配置されている。板ばね８０の他端側は、後述する固定部材１６の上端でビス等により固定されている。板ばね８０（突起部８０ａ）は、収容部４が図４に示すように時計回りに回動すると共に各収容体４０に順次当接され、その当接により回動を止めるためのストッパーの役割を果たしている。
【００３５】
収容体４０は、図２に示すように略円筒状に形成されており、収容部４の円周上に複数（例１６本）並べられて配置されている。収容部４は、複数並べられた各収容体４０に複数の煙火３を各々収容する場合、その収容部４の円周に沿って各収容体４０に各煙火３を並べて収容できる。またこのとき、この収容部４に配置された煙火３は、収容体４０の発射側から部分的にはみ出した状態で収容され、導火線３２が煙火３の外周側に向けて曲げられた状態で収容される。
【００３６】
図７及び図８に示される収容体４０の背面側（後端側）は、固定手段として板ばね４１が設けられている。板ばね４１は、煙火３が収容された状態では、図１１に示すように煙火３を保持する機能を有している。板ばね４１は、固定手段としてのビス４１ａ、４１ａによって収容体４０の外周側から螺合されて固定されており、その先端側が下方へ湾曲状に曲げられて形成されている。板ばね４１は、収容体４０の背面側の外周面が部分的に切り欠かれて形成された孔４３から、板ばね４１の先端部分が弾性変形しながら煙火３に当接された状態で保持される。孔４３は、収容体４０の外周面から略矩形状にくり抜かれて形成されている。収容体４０の最も後端は、煙火３を点火して発射する際に収容体４０の背面側から煙火３が飛び出さないように支持するための蓋部４１８が設けられている。蓋部４１８は、平板状に形成された部材であり、ビス４１８ａによって固定されている。そうすることで、蓋部４１８は、収容体４０の後端面を形成している。なお煙火３が収容体４０に収容するときは、蓋部４１８に当接された状態で配置されることが好ましい。
【００３７】
また収容部４は、図２に示すように収容部４の円周上に配置された収容体４０全体の外回りを囲むようにして配置された薄板状で輪状に巻かれたリング部１８を備える。リング部１８は、図２に示すように煙火３の導火線３２を挟んで保持するための切込み部４６を備え、煙火３の導火線３２が図２に示すように切込み部４６に差し込まれることで図５に示すように収容部４の外周側に向けて曲げられた状態で保持される。
【００３８】
切込み部４６は、図２に示すように収容部４（収容体４０）の発射側（前端側）に形成されており、リング部１８の最も前端から直線状に部分的に切り欠かれて形成されている。また切込み部４６は、リング部１８における発射方向側の側端部（前端部）に１６箇所各々形成されており、各収容体４０に配置された煙火３の導火線３２を各々差込可能に形成されている。またリング部１８は、輪状に巻かれた内部に位置決め部１８ａ、１８ａが設けられている。位置決め部１８ａ、１８ａは、リング部１８の位置決めをするための部位である。
【００３９】
位置決め部１８ａ、１８ａは、図１及び図５に示すように棒状に形成されており、各々リング部１８の内部で略直径の長さで形成されている。位置決め部１８ａ、１８ａの両端は、リング部１８の円周上に連結されており、リング部１８の内部で互いに前後に離間した状態で交差している。位置決め部１８ａ、１８ａは、図１及び図５に示すように収容体４０と隣接した収容体４０との間に挟まれた状態で配置されている。そうすることで、各収容体４０に配置された煙火３（導火線３２）と切込み部４６との位置がズレないように位置決めすることができる。リング部１８は、前後方向（図２に示される矢印方向）にスライド可能であり、背面側（後端側）に向けて移動したとき、リング部１８の背面側が後述する固定部材１６に最終的には当接される。またリング部１８は、発射側（前端側）に向けて移動したときリング部１８の発射側の先端が煙火３の先端側の位置と略同じ位置に配置される。その同じ位置に配置されたとき、切込み部４６に導火線３２を差し込むことで保持できる。
【００４０】
固定部材１６は、図２に示すように収容部４（収容体４０）の発射側（前端側）と背面側（後端側）とを図１及び図３に各々示されるビス１６ａ、１６ｂにより固定する部位であり、収容部４の発射側と背面側との各々先端側を部分的に囲って保持するためのものである。固定部材１６は、平板状に形成されており、前後に１枚づつ発射側は固定部材１６ｅ、背面側は固定部材１６ｄとして各々配置されて帯状の連結部１６ｃによって連結されている。固定部材１６ｄ、１６ｅは、正面視で多角形状の外輪郭で形成されており、中央部分が収容部４を貫通するための孔がくり貫かれている。固定部材１６ｄ、１６ｅは、その孔を貫通した収容部４（収容体４０）の外回りを囲んで配置されている。固定部材１６の下端側は、後述する発射台４４を保持するための保持部１４が設けられている。
【００４１】
保持部１４は、図５に示すように固定部材１６の下部に設けられており、矩形状の輪郭を形成し、その略中央で発射台４４を保持している。発射台４４は、煙火３から発射した発射物が四方へ散乱しないように保護するためのものである。発射台４４は、正面視で矩形状の輪郭を形成しており、その略中央に発射するための煙火３とセラミックヒータ１０とが発射側から視認可能であり、その煙火３から前後に離間した状態で配置されている。このとき、その煙火３の下部は、煙火３から下方へ向けて曲げられた導火線３２がセラミックヒータ１０に当接された状態で配置されている。発射台４４は、図６に示すように、保持部１４から、発射方向に向けて突出して形成されており、前端側（発射方向に対して先端部分）の下方が切り欠かれている。
【００４２】
また収容部４は、駆動部４２により収容された煙火３をセラミックヒータ１０に対して相対移動させることが可能である。駆動部４２は、モータ（図示しない）により図４に示される収容部４を回動機構（図示しない）により円筒の中心軸まわりに回動できる。駆動部４２は、配置された収容体４０よりも内側に配置されている。収容部４は、煙火３を収容するための収容体４０によって煙火３を複数収容した場合、収容された煙火３がセラミックヒータ１０に対して相対移動されることで、各煙火３の導火線３２がセラミックヒータ１０に当接されて点火される。
【００４３】
図６に示されるセラミックヒータ１０、１０は、セラミックを電熱により発熱させることで点火するためのものである。セラミックヒータ１０、１０は、図６に示すように先端にかけて棒状に各々形成されている。収容部４に煙火３が収容されている場合、導火線３２がセラミックヒータ１０、１０の点火部１２、１２に当接されることで点火される。点火部１２、１２は、セラミックヒータ１０、１０の先端側に配置されている。セラミックヒータ１０、１０は、保持部１０８によって収容部４の下部に取り付けられている。保持部１０８は、上方側のセラミックヒータ１０を取り付けるための保持部１０８ａと、下方側のセラミックヒータ１０を取り付けるための保持部１０８ｂとを備える。各保持部１０８ａ、１０８ｂは、上下に各セラミックヒータ１０、１０を保持している。
【００４４】
脚部６は、図１に示すように複数本の脚６４で形成されており、その各脚６４は、下側が外側に向けて曲げられて配置されている。脚部６の上端は、脚上台６８が載置された状態で支持されている。脚上台６８の上面の略中央は、旋回部２８に接続されており、その旋回部２８と共に、その上方に配置された本体枠１３を支持している。脚上台６８の下面側は、箱状に形成された旋回駆動部２２が接続されて配置されている。旋回駆動部２２は、電気的に旋回部２８を回動させるためのものである。旋回駆動部２２は、後述する制御部６０のプログラムにより制御されることで旋回部２８が回動される。脚６４の曲げられた部位の略直上には、台６２が支持されて配置されている。
【００４５】
台６２は、図１に示すように板状に形成されたものである。台６２の上面は、バッテリー５０と、制御部６０とが載置されている。バッテリー５０は、鳥獣撃退装置１に設置された各種設備に電力を供給するためのものである。制御部６０は、プログラムにより鳥獣撃退装置１に設置された各種設備を制御するための部材である。バッテリー５０と、制御部６０とは、箱状に形成されており、前後に隣同士で台６２の上で載置されている。
【００４６】
次に鳥獣撃退装置１について煙火３をセットしてから駆動するまでの動作について説明する。まず、煙火３の導火線３２が発射側に向けられるようにして鳥獣撃退装置１の収容部４の各収容体４０に収容される。収容された煙火３が複数収容される場合、各煙火３が各収容体４０に並べられてセットされる。収容された各煙火３の各導火線３２は、各収容体４０の切込み部４６に差し込まれ、収容部４の外周側に曲げられた状態でセットされる。セットされた各煙火３の導火線３２は、セラミックヒータ１０に当接された状態で待機される。そして赤外線センサ２により鳥獣が検知された場合、プログラムの制御によりセラミックヒータ１０の点火部１２が電熱により温度が上昇し、煙火３の導火線３２が点火可能な温度まで上昇したとき導火線３２が引火されて煙火３の発射物が発射される。そうすることで、鳥獣へ向けて、発射物が発射されると共に、大きな音で威嚇することができる。その後、プログラムの制御により収容部４が時計回りで回動することで隣に配置された収容体４０にセットされている煙火３の導火線３２の位置が移動され、セラミックヒータ１０に当接された状態で待機される。このようにして、煙火３が発射された後、順次、隣に配置された収容体４０の煙火３の導火線３２がセラミックヒータ１０に当接された状態で待機される。そしてその後、赤外線センサ２により再度、鳥獣が検知される度にプログラムの制御によりセラミックヒータ１０が電熱により導火線３２が点火可能な状態となり、導火線３２が点火されて鳥獣へ向けて発射され、これらの動作が、順次、繰り返し行われる。
【００４７】
第１の実施形態は、以下のような作用効果を有する。本実施形態の鳥獣撃退装置１では、煙火３は、長手方向の一端側に導火線３２を備える。セラミックを発熱させることで点火可能であるセラミックヒータ１０は、収容部４に煙火３が収容されている場合、導火線３２がセラミックヒータ１０に当接されることで点火される。そうすることで、導火線３２がセラミックヒータ１０に当接されることで点火されるので、点火部位が比較的酸化しにくく、有効に点火を行うことができる。
【００４８】
またこの鳥獣撃退装置１では、収容部４は収容された煙火３をセラミックヒータ１０に対して相対移動させることが可能である。また煙火３を複数収容した場合、収容された煙火３がセラミックヒータ１０に対して相対移動されることで、各煙火３の導火線３２がセラミックヒータ１０に当接されて点火される。そうすることで、収容された煙火３がセラミックヒータ１０に対して相対移動されるため、煙火３を順次効率的に点火して使用できる。
【００４９】
またこの鳥獣撃退装置１では、収容部４は煙火３を複数収容する場合、その収容部４に各煙火３を並べて収容する。またこのとき、この収容部４に配置された煙火３は、導火線３２が煙火３の外周側に向けて曲げられた状態で収容されており、その導火線３２がセラミックヒータ１０に当接されることで点火される。そうすることで、収容部４に配置された煙火３は、導火線３２が煙火３の外周側に向けて曲げられた状態で収容されているので、導火線３２がセラミックヒータ１０に当接させることで効率よく点火できる。
【００５０】
またこの鳥獣撃退装置１では、収容部４は円筒状に形成されており、煙火３を複数収容する場合、その収容部４の円周に沿って並べて収容可能である。そうすることで、円筒状の収容部４の円周に沿って煙火３が並べられて点火できるので、さらに導火線３２がセラミックヒータ１０に順序立てて当接させることで効率よく点火できる。
【００５１】
またこの鳥獣撃退装置１では、収容部４に配置された煙火３は、導火線３２が収容部４の円周の外側に向けられて曲げられた状態で収容されており、その導火線３２がセラミックヒータ１０に当接されることで点火される。そうすることで、導火線３２が収容部４の円周の外側に向けられて曲げられた状態で収容されているので、導火線３２をセラミックヒータ１０に当接しやすくなり点火もしやすくなる。
【００５２】
またこの鳥獣撃退装置１では、収容部４は、煙火３の導火線３２を挟んで保持するための切込み部４６を備え、煙火３の導火線３２が切込み部４６に差し込まれることで保持される。そうすることで、煙火３の導火線３２を挟んで保持するための切込み部４６により差し込まれることで保持されるので、導火線３２をセラミックヒータ１０にさらに当接しやすくなり点火もしやすくなる。
【００５３】
またこの鳥獣撃退装置１では、収容部４（収容体４０）に収容された煙火３を支持するための固定手段として板ばね４１を備える。そうすることで、板ばね４１により煙火３が支持されるので、煙火３が点火されて発射物が発射された場合でも、収容体４０（収容部４）から煙火３が外へ飛び出すことを抑制できる。
【００５４】
またこの鳥獣撃退装置１では、蓋部４１８は、収容体４０の後端面を形成しており、煙火３が収容部４０に収容するとき、蓋部４１８に当接された状態で配置される。そうすることで、煙火３が蓋部４１８に収容体４０の内部で当接された状態で配置されるので、煙火３が点火して発射物が発射するとき発射飛距離が低下しにくくなる。
【００５５】
次に図９〜図１３に示される変形例１について説明する。変形例１の鳥獣撃退装置は、第１の実施形態の鳥獣撃退装置１とほぼ同一の基本構成を備えるため、共通の構造は、同一又は対応する符号を付す等して詳細な説明を省略する。このことは、後述する他の変形例においても同様である。変形例１の鳥獣撃退装置の特徴とする点は、第１の実施形態における収容体４０に対して、図９に示される収容体４０ａに代えた点である。
【００５６】
図９に示される収容体４０ａの発射側（前端側）の先端部分は、延設部４２ａが設けられており、固定手段としてビス４０２、４０２によって固定されている。ビス４０２、４０２は、煙火３が収容された状態では、図１１に示すように煙火３を保持する機能を有している。また収容体４０ａの背面側（後端側）は、図１０に示すようにビス４０４、４０４が設けられている。またビス４０４、４０４より背面側に配置されており、図１２に示すように煙火３を保持する機能を有している。ビス４０４、４０４は、収容体４０ａの内部から外部にかけて差し込まれており、外部からナットで螺合されて固定されている。ビス４０４、４０４は、ビス４０２、４０２の図１１に示される頭部４０２ａ、４０２ａよりも図１２に示される頭部４０４ａ、４０４ａの方が大きく、煙火３との間の隙間がない状態となるように配置されている。収容体４０ａの最も後端は、煙火３を点火して発射する際に収容体４０ａの背面側から煙火３が飛び出さないように支持するための蓋部４０８が設けられている。蓋部４０８は、平板状に形成された部材であり、ビス４０８ａによって固定されている。そうすることで、蓋部４０８は、収容体４０ａの後端面を形成している。なお煙火３を収容体４０ａに収容するときは、蓋部４０８に当接された状態で配置されることが好ましい。延設部４２ａは、図１０に示すように収容体４０ａに差し込まれた煙火３の導火線３２を挟んで保持するための切込み部４０６を備え、煙火３の導火線３２が切込み部４０６に差し込まれることで収容部４の外周側に向けて曲げられた状態で保持される。切込み部４０６は、収容体４０ａの発射側（前端側）に形成されており、収容体４０ａ（延設部４２ａ）の最も前端から直線状に部分的に切り欠かれて形成されている。また切込み部４０６は、各収容体４０ａの外周側に各々形成されており、全て（本例では１６本）の各収容体４０ａにおける発射側の端部に各々形成されている。
【００５７】
また収容体４０ａは、図１０に示すようにビス４０２、４０２と、ビス４０４、４０４との間に支持部４０１が設けられている。図１３に示される支持部４０１は、弾性体としての引っ張りばねで形成されており、略Ｊ字状に形成された引っ掛け部４０１ａと、略Ｏ字状に形成され、係合部４０１ｂにより引っ掛けられて係合するための係合部４０１ｂとを備える。支持部４０１は、収容体４０ａの側部分が切り欠かれた部位に配置され、収容体４０ａの内部に配置された煙火３を収容体４０ａの外回りから巻き込んで支持可能な状態になっている。支持部４０１は、図１３に示すように弾性変形が可能であり、収容体４０ａを巻き込んで弾性変形しながら煙火３に当接させ、引っ掛け部４０１ａにより係合部４０１ｂに掛けられて輪状に巻き込んだ状態で維持しながら煙火３を支持している。
【００５８】
変形例１は、以下のような作用効果を有する。変形例１の鳥獣撃退装置では、収容部４（収容体４０ａ）に収容された煙火３を支持するための固定手段としてビス４０２、４０２を備える。そうすることで、煙火３が点火されて発射された場合、収容体４０ａ（収容部４）から煙火３が外へ飛び出すことを抑制できる。
【００５９】
またこの鳥獣撃退装置では、ビス４０２、４０２の他にビス４０２、４０２よりも後ろ側にビス４０４、４０４を備え、複数の固定手段により煙火３が固定される。そうすることで、煙火３が点火された発射された場合、収容体４０ａ（収容部４）からより煙火３が外へ飛び出すことを抑制できる。
【００６０】
次に図１４に示される変形例２について説明する。変形例２の特徴とする点は、収容体４０（収容部４）の発射面側（前面側）に挟持部１００を備えた点である。変形例２の挟持部１００は、導火線３２を挟むためのものであり、またセラミックヒータ１０ａの点火部１２ａを当接しやすくするためのものである。挟持部１００は、主に複数の薄板状の部材で構成されている。挟持部１００は、略半円状の切り欠きを有する平板状の挟み部１０２と、略半円状の切り欠きを有する平板状の挟み部１０４と、煙火３の発射時に妨げにならないようにする孔１０６とを備える。孔１０６は、上下に長い略楕円状に形成されている。煙火３は、挟み部１０２と挟み部１０４とが重なり合って、導火線３２が挟まれた状態で、導火線３２をセラミックヒータ１０ａに当接させることで点火される。セラミックヒータ１０ａは、図１４に示すように上方側から下方側にかけて配置されており、その先端部分に点火部１２ａが配置されている。挟み部１０２と、挟み部１０４とは、煙火３の上方の位置を軸に回動可能である。挟み部１０２と、挟み部１０４とは、回動されて重なり合った状態で導火線３２を支持してセラミックヒータ１０ａの点火部１２ａに当接されて点火した後、重なり合った状態から、重なり合わない逆方向へ回動されて、煙火３の妨げないようにプログラムにより制御される。そして、煙火３の発射物が、孔１０６を通過して鳥獣へ向けて発射される。
【００６１】
変形例２は、以下のような作用効果を有する。変形例２の鳥獣撃退装置では、導火線３２を挟むための挟持部１００を備え、煙火３は、挟持部１００により導火線３２が挟まれた状態で、導火線３２をセラミックヒータ１０ａに当接させることで点火される。そうすることで、挟持部１００により導火線３２が挟まれた状態で、導火線３２をセラミックヒータ１０ａに当接させることで点火されるので、点火位置が保持しやすくなり、より点火しやすくなる。
【００６２】
次に図１５に示される変形例３について説明する。変形例３の特徴とする点は、収容部４の発射面側（前面側）に挟持部２００を備えた点である。変形例３の挟持部２００は、導火線３２を挟むためのものであり、またセラミックヒータ１０ｂの点火部１２ｂを当接しやすくするためのものである。挟持部２００は、主に複数の薄板状の部材で構成されている。挟持部２００は、略半円状の切り欠きを有する平板状の挟み部２０２と、略半円状の切り欠きを有する平板状の挟み部２０４と、煙火３の発射時に妨げにならないようにする孔２０６とを備える。挟み部２０２と、挟み部２０４は、略線対称で配置されている。孔２０６は、略円状に形成されている。煙火３は、挟み部２０２と挟み部２０４とが重なり合って、導火線３２が挟まれた状態で、導火線３２をセラミックヒータ１０ｂに当接させることで点火される。セラミックヒータ１０ｂは、図１５に示すように下方側から上方側にかけて配置されており、その先端部分に点火部１２ｂが配置されている。挟み部２０２と、挟み部２０４とは、煙火３の下方の位置を軸に回動可能である。挟み部２０２と、挟み部２０４とは、回動されて重なり合った状態で導火線３２を支持してセラミックヒータ１０ｂの点火部１２ｂに当接されて点火される。その後、重なり合った状態から、重なり合わない逆方向へ回動されて、煙火３の妨げないようにプログラムにより制御される。そして、煙火３の発射物が、孔２０６を通過して鳥獣へ向けて発射される。
【００６３】
変形例３は、以下のような作用効果を有する。変形例３の鳥獣撃退装置では、導火線３２を挟むための挟持部２００を備え、煙火３は、下方側を軸に回動可能な挟持部２００により導火線３２が挟まれた状態で、導火線３２をセラミックヒータ１０ｂに当接させることで点火される。そうすることで、収容体４０の下方側からその上方側にかけて挟持部２００が配置され、挟持部２００により導火線３２が挟まれた状態で、導火線３２をセラミックヒータ１０ｂに当接させることで点火されるので、点火位置が保持しやすくなり、より点火しやすくなる。
【００６４】
次に図１６に示される変形例４について説明する。変形例４の特徴とする点は、鳥獣撃退装置に収容される煙火３にキャップ３００を設ける点である。変形例４のキャップ３００は、雨等で水に濡れるのを抑制するためのものである。キャップ３００は、円筒状に形成されており、好ましくは、生分解性プラスチックで形成される。キャップ３００は、一端側が開放されており、他端側が封鎖されているが、一部部分的に切り欠かれて開口３０２を有する。キャップ３００の封鎖されている他端側は、キャップ３００の円の中心を頂点に山状に迫り出して形成されている。キャップ３００の内径は、煙火３の外径と略同じ大きさ又はやや大きめで形成されている。煙火３は、その長手方向の一端側に、切り欠かれた開口３０２を有するキャップ３００が取り付けられる。その取り付けられたキャップ３００は、煙火３に取り付けられたとき開口３０２から導火線３２を挿通させながら、この導火線３２が煙火３の外周側に向けて曲げられた状態で保持される。開口３０２は、キャップ３００の側部を部分的に切り欠いて形成したものであり、キャップ３００の円周（外周）に対して垂直方向の山状に迫り出した一端側から他端側にかけて外輪郭が切り欠かれている。導火線３２は、切り欠かれた開口３０２側に向けて曲げられて配置される。
【００６５】
変形例４は、以下のような作用効果を有する。変形例４の鳥獣撃退装置では、煙火３は、長手方向の一端側に、開口３０２を有するキャップ３００が取り付けられ、煙火３に取り付けられたとき開口３０２から導火線３２を挿通させながら、この導火線３２が煙火３の外周側に向けて曲げられた状態で保持される。そうすることで、キャップ３００の開口３０２から導火線３２を挿通させた状態で、導火線３２が点火可能であるので、キャップ３００により点火部分が雨等により水に濡れるのを抑制しながら、導火線３２に点火できる。
【００６６】
またこの鳥獣撃退装置に用いられる動物駆逐用の筒状の煙火３は、この煙火３の長手方向の一端側に導火線３２を備える。またこの煙火３は、この一端側にキャップ３００が取り付けられ、このキャップ３００は、開口３０２を有しており、この開口３０２に導火線３２を挿通させて、導火線３２が煙火３の外周側に向けて曲げられる。そうすることで、煙火３は、この一端側にキャップ３００が取り付けられ、このキャップ３００は、開口３０２を有しており、この開口３０２に導火線３２を挿通させて、導火線３２が煙火３の外周側に向けて曲げられるので、予め認可された煙火３を効率的に使用できる。また、キャップ３００により雨等で水に濡れるのを抑制できる。
【００６７】
次に図１７に示される変形例５について説明する。変形例５の特徴とする点は、鳥獣撃退装置に設置されたセラミックヒータ１０に代えて、可動式のセラミックヒータ１０Ｘを用いる点である。変形例５のセラミックヒータ１０Ｘは、可動することで収容体（図示しない）に配置された煙火３の導火線３２に当接させることができる。セラミックヒータ１０Ｘは、線対称に両側からクロスさせて略Ｘ字状に配置されており、可動部１０Ｙに固定されている。可動部１０Ｙは、プログラムにより制御されて図１７に示される上下の矢印の方向にスライド移動される。可動部１０Ｙは、プログラムの制御により煙火３を点火すると判断した場合、煙火３とセラミックヒータ１０Ｘの点火部１２Ｘとが当接されるように上方へスライド移動される。そして、セラミックヒータ１０Ｘの点火部１２Ｘが導火線３２に当接されて点火される。点火された後、セラミックヒータ１０Ｘは、プログラムの制御により下方へスライド移動される。このようにして、セラミックヒータ１０Ｘにより点火する場合は、上方へスライド移動されて、点火した後、発射の妨げにならないように下方へスライド移動される。
【００６８】
変形例５は、以下のような作用効果を有する。変形例５では、鳥獣撃退装置は、可動可能なセラミックヒータ１０Ｘを備え、煙火３を点火する場合、プログラムの制御によりセラミックヒータ１０Ｘ（点火部１２）が煙火３に向けて移動されて、導火線３２に当接される。そうすることで、点火するとき、必要に応じて、セラミックヒータ１０Ｘが可動して導火線３２に当接されるので、より効率的に点火することができる。
【００６９】
またこの鳥獣撃退装置は、セラミックヒータ１０Ｘの点火部１２が導火線３２に当接されて点火された後、セラミックヒータ１０Ｘがプログラムの制御により下方へスライド移動される。そうすることで、点火したときに、下方へスライド移動されるので、セラミックヒータ１０Ｘにより煙火３の発射物に衝突することを軽減できる。
【００７０】
次に図１８に示される変形例６について説明する。変形例６の特徴とする点は、鳥獣撃退装置１を覆うためのカバー部材９０を用いる点である。変形例６のカバー部材９０は、鳥獣撃退装置１が雨等で濡れないようにするためのものである。カバー部材９０は、下方が開放しており、略直方体状に形成されている。カバー部材９０は、その側面（左右面）のカバー部材９０内部の通気を行うための図１９に示される通気孔９１と、通気孔９１を覆うための被覆部９８と、通気孔９１を覆うとき被覆部９８を係合して固定するための図１９に示される係合部９３とを備える。係合部９３は、帯状に形成されており、面ファスナー等により係合される部位であるが、線ファスナー等他の方法で係合してもよい。またカバー部材９０は、発射側の中央部分に発射台４４を貫通させるための貫通孔９２と、部分的にカバー部材９０の発射面（前面）を開閉するための被覆部９５により閉じる際に係合するための係合部９４、９６を備える。被覆部９５は、矩形状に形成されており、上下方向にめくって開閉できる。係合部９４、９６は、帯状に形成されており、面ファスナー等により係合される部位であるが、線ファスナー等他の方法で係合してもよい。係合部９４は、被覆部９５の下端に配置されており、貫通孔９２の下方に配置されている。係合部９６は、被覆部９５の両端に配置されており、貫通孔９２の両側に配置されている。
【００７１】
変形例６は、以下のような作用効果を有する。変形例６では、鳥獣撃退装置１を覆うためのカバー部材９０を備える。そうすることで、雨が降った場合でも鳥獣撃退装置１が濡れることがなく、鳥獣撃退装置１の収容部４に配置された煙火３が湿気るのを抑制できる。
【００７２】
またこの鳥獣撃退装置１では、カバー部材９０は、カバー部材９０内部を換気するための通気孔９１を備える。そうすることで、カバー部材９０の内部が換気できる。
【００７３】
またこの鳥獣撃退装置１では、カバー部材９０は、発射側の中央部分に発射台４４を貫通させるための貫通孔９２を備える。そうすることで、カバー部材９０を被せたままの状態で、収容部４に収容された煙火３に点火して発射させることができる。
【００７４】
またこの鳥獣撃退装置１では、カバー部材９０は、部分的にカバー部材９０の発射面（前面）を開閉するための被覆部９５を備える。そうすることで、被覆部９５により部分的にカバー部材９０が開放できるので、カバー部材９０を被せたまま、内部に配置された鳥獣撃退装置１のメンテナンスを行うことができる。
【００７５】
本実施形態の鳥獣撃退装置及びそれを用いた煙火３は、上述した実施形態に限定されるものではなく他の形態でも実施できる。本実施形態の鳥獣撃退装置では、収容部４が回動（駆動）して位置が固定されたセラミックヒータ１０へ当接して点火するようにして適用したがこれに限られるものではない。収容部４の位置を固定して、セラミックヒータ１０を駆動（移動）可能にして固定された収容部４の収容体４０に当接させて点火するようにして適用してもよい。
【００７６】
また本実施形態の鳥獣撃退装置では、収容部４は、円筒状（ドラム式）に形成して適用したがこれらに限られるものではない。収容部を平板状に形成してもよい。またこの場合、平板状に形成された収容部をスライドさせて、セラミックヒータ（点火部）に点火できるようにしてもよい。またこの場合の収容部を固定して、セラミックヒータ（点火部）をスライドさせて点火できるようにしてもよい。
【００７７】
また本実施形態の鳥獣撃退装置では、ドラム状の収容部４の収容体４０に収容された煙火３の導火線３２は、収容部４の外周側に向けて曲げられた状態でセラミックヒータ１０に当接させて点火可能としたがこれに限られるものではない。収容部４の内周側に向けて煙火３の導火線３２を曲げられた上体でセラミックヒータ１０に当接可能に配置してもよい。この場合、収容体４０の内周側に向けられた煙火３の導火線３２が、収容体４０の内周側にセラミックヒータ１０を配置してもよい。
【００７８】
また本実施形態の鳥獣撃退装置では、支持部４０１は、引っ張りばねで形成して適用したがこれに限られるものではない。Ｏリングで形成して適用してもよい。
【符号の説明】
【００７９】
１     鳥獣撃退装置
３     煙火
４     収容部
１０   セラミックヒータ
３２   導火線
４６   切込み部
１００ 挟持部
３００ キャップ
３０２ 開口
【図１】
2016214180.tif 000003
【図２】
2016214180.tif 000004
【図３】
2016214180.tif 000005
【図４】
2016214180.tif 000006
【図５】
2016214180.tif 000007
【図６】
2016214180.tif 000008
【図７】
2016214180.tif 000009
【図８】
2016214180.tif 000010
【図９】
2016214180.tif 000011
【図１０】
2016214180.tif 000012
【図１１】
2016214180.tif 000013
【図１２】
2016214180.tif 000014
【図１３】
2016214180.tif 000015
【図１４】
2016214180.tif 000016
【図１５】
2016214180.tif 000017
【図１６】
2016214180.tif 000018
【図１７】
2016214180.tif 000019
【図１８】
2016214180.tif 000020
【図１９】
2016214180.tif 000021